(57)【特許請求の範囲】
【請求項１】
畳床と、畳表と、畳床の貫側同士の接続部及び畳床の貫側と畳床以外の構造物との接続部に用いられる貫側ジョイナと、畳床の框側と畳床以外の構造物との接続部に用いられる框側端部材とからなり、
上記貫側ジョイナは、畳床を敷設する床面と接触する基部プレート部及び該基部プレート部上の幅中央部に長手方向に突設される壁部とからなる断面略逆Ｔ字型の下部ジョイナ部材と、上記基部プレート部に対向配置される上部プレート部と該上部プレート部の下面の幅中央部に長手方向に突設される突条部とからなる断面略Ｔ字型の上部ジョイナ部材と、上記上部プレート部の上面を被覆する畳縁とを備え、前記壁部と前記突条部とが係合し得ると共にこの係合状態において上部プレート部と基部プレート部との間に畳床及び畳表の端縁部を挟持し得るように構成されてなり、
上記框側端部材は、畳床の高さと略同等に設定されかつ畳床の側面に当接する垂直壁部及び床面に当接する底辺部からなる断面略Ｌ型の端部下部材と、上記垂直壁部の先端と揺動可能に連結されかつ上記端部下部材に被さる上辺部及び該上辺部を畳床と略面一に支承する脚部からなる端部上部材とからなり、上記脚部と上記底辺部との間には互いに着脱自在な係止構造が設けられると共に底辺部と上辺部との間に畳表を巻込む空間部が構成されてなる
畳表を用いた床構造。
【請求項２】
畳表の上張材が、細長く裁断した紙に撚りをかけて得られた糸を用いて機織りして得られた上張材から構成されてなる請求項１に記載の畳表を用いた床構造。
【発明の詳細な説明】
【０００１】
【産業上の利用分野】
本発明は、畳床と畳表と畳縁とが別体に構成されいて、現場床面に畳と同様の意匠を実現する床構造に関する。
【０００２】
【従来の技術】
従来より、畳は予め施工する部屋の寸法を測定した割付によって１枚毎の畳の寸法を計算した上で、工場において熟練した専門の職人が畳表、畳縁を畳床に縫着して製造し、現場に搬入して施工していた。
【０００３】
しかしながら、採寸から敷き込みまでの諸作業が煩雑で一枚毎に寸法が異なり大量生産ができず、効率的ではなかった。また、場合によっては現場での採寸ミス等で再度作り直す場合もあった。
【０００４】
これに対して、例えば特開昭５１−９７２２３号公報によれば、畳の縁部表裏を挟持する縁布被着板と敷板からなる敷物用縁布貼付具により、畳表、畳縁を畳床に縫着する作業が省略でき、現場で簡単な施工をすることができ、すべての作業を現場で施工できるので、採寸ミスによる作り直し等が発生することもなくなった。
【０００５】
ところが、上記公報記載の技術によると、畳は四周端部全てが縁布被着板によって固定されているので、従来の畳（横方向は畳縁がつかないもの）とは異なる意匠となって和室としては違和感がある。
また、３枚の畳の隣接する部分ではコーナ部にＴ字状プレートによる縁布を設けるためにかえって、Ｔ字状プレートに連続する部分の縁布との間に継目ができるので見映えが悪く、つまづいたりする虞れがある。
【０００６】
【発明が解決しようとする課題】
本発明は、現場床面に畳床と畳表と畳縁とをそれぞれ別体で用いて、畳と同様の意匠を簡易施工できる畳表を用いた床構造を提供するにある。
【０００７】
【課題を解決するための手段】
かくして本願『請求項１』にかかる発明によれば、『畳床(Tb)と、畳表(Ts)と、畳床(Tb)の貫側同士の接続部(Jnn)及び畳床(Tb)の貫側と畳床以外の構造物(S)との接続部(Jns)に用いられる貫側ジョイナ(1)と、畳床(Tb)の框側と畳床以外の構造物(S)との接続部(Jks)に用いられる框側端部材(2)とからなり、上記貫側ジョイナ(1)は、畳床(Tb)を敷設する床面(F)と接触する基部プレート部(11a)及び該基部プレート部(11a)上の幅中央部に長手方向に突設される壁部(11b)とからなる断面略逆Ｔ字型の下部ジョイナ部材(11)と、上記基部プレート部(11a)に対向配置される上部プレート部(12a)と該上部プレート部(12a)の下面の幅中央部に長手方向に突設される突条部(12b)とからなる断面略Ｔ字型の上部ジョイナ部材(12)と、上記上部プレート部(12a)の上面を被覆する畳縁(13)とを備え、前記壁部(11b)と前記突条部(12b)とが係合し得ると共にこの係合状態において上部プレート部(12a)と基部プレート部(11a)との間に畳床(Tb)及び畳表(Ts)の端縁部を挟持し得るように構成されてなり、上記框側端部材(2)は、畳床(Tb)の高さと略同等に設定されかつ畳床(Tb)の側面に当接する垂直壁部(2a1)及び床面(F)に当接する底辺部(2a2)からなる断面略Ｌ型の端部下部材(2a)と、上記垂直壁部(2a1)の先端と揺動可能に連結されかつ上記端部下部材(2a)に被さる上辺部(2b1)及び該上辺部(2b1)を畳床(Tb)と略面一に支承する脚部(2b2)からなる端部上部材(2b)とからなり、上記脚部(2b2)と上記底辺部(2a2)との間には互いに着脱自在な係止構造が設けられると共に底辺部(2a2)と上辺部(2b1)との間に畳表(Tb)を巻込む空間部(イ)が構成されてなる畳表を用いた床構造(A)』が提供される。
【０００８】
本発明の床構造において、貫側ジョイナ(1)を構成する下部ジョイナ部材(11)及び上部ジョイナ部材(12)はいずれも畳床(Tb)の貫の約整数倍の長さを有するものが好ましいがこれに限定されない。また、下部ジョイナ部材(11)及び上部ジョイナ部材(12)は同等な長さでなくともよく、例えば上部ジョイナ部材(12)が下部ジョイナ部材(11)よりも框側端部材(3)の幅(△w3)の整数倍だけ長い場合や、下部ジョイナ部材(11)が上部ジョイナ部材(12)の整数倍の長さを有する場合も考えられる。
【０００９】
下部ジョイナ部材(11)において、壁部(11b)はほぼ畳床(Tb)の高さ（又は厚さ）(t1)に相当するものであることが好ましい。
またこの壁部(11b)は当該ジョイナ部材(11)の長手方向に連続して設けられるものであってもよく、また不連続に設けられていてもよい。
一方、上部ジョイナ部材(12)において、突条部(12b)も当該ジョイナ部材(12)の長手方向に連続して設けられるものであってもよく、また不連続に設けられていてもよい。
なお、上記壁部(11b)及び突条部(12b)がそれぞれ不連続に設けられる場合は、両者が上下でそれぞれ対向する位置となるように設定される。
【００１０】
下部ジョイナ部材(11)の壁部(11b)と上部ジョイナ部材(12)の突条部(12b)との係合状態としては、雄雌型の組合わせによる嵌合構造が好ましく、この場合壁部(11b)及び突条部(12b)のいずれが雌雄に選択されてもよい。
【００１１】
なお、貫側ジョイナ(1)を畳床(Tb)と畳床以外の構造物(S)との接続部(Jns)に用いる場合、貫側ジョイナ(1)の上部ジョイナ部材(12)の上部プレート部(12a)の片側を支承する補助部材(4)が用いられることが強度保持等の点から好ましい。
また、この補助部材(4)は下部ジョイナ部材(11)に一体化されていてもよい。
【００１２】
本発明において、上記框側端部材(2)を用いれば、畳表(Ts)をピンと張った状態で敷設でき、また緩んできても簡単に敷設し直しができる点で好ましいものである。
【００１３】
本発明において、畳表(Tb)は上張材(Ts1)と裏打材(Ts2)とから構成されているものが好ましい。上記上張材(Ts1)は、天然の葦草から作られた通常のものであってもよく、また人工の材料により作られたものであってもよい。また、裏張材(Ts2)としては、例えばフェルト材からなるものを挙げることができるが、別段これに限定されない。
【００１４】
上張材(Ts1)が上記後者の場合、本願『請求項２』に示すように、『細長く裁断した紙に撚りをかけて得られた糸を用いて機織りして得られた上張材』であることが、葦草で作られたもののような長さに制限が無く、大面積のものが生産できかつ機械的強度・量産性・均質性等が良好に生産できる点から好ましい。
【００１５】
【作用】
本願『請求項１』にかる発明によれば、床面(F)に敷設される畳床(Tb)において、その貫側同士の接続部(Jnn)には、断面逆Ｔ字型の下部ジョイナ部材(11)の基部プレート部(11a)の下面が床面(F)に当接しかつ該プレート部(11a)の上面及び壁部(11b)に畳床(Tb)の貫の端縁部の底面及び側面がそれぞれ当接した状態にあり、この下部ジョイナ部材(11)の壁部(11b)に対して断面略Ｔ字型の上部ジョイナ部材(12)の突条部(12b)が係合された状態にある。このとき、下部ジョイナ部材(11)と上部ジョイナ部材(12)とで、畳表(Ts)及び畳床(Tb)の両方重なった端縁部を挟持すると共に当該接続部(Jnn)は上部プレート部(12a)で被蔽され、その外面には上部プレート部(12a)に被着されている畳縁(13)で畳表(Ts)の端縁部が化粧されることとなる。
【００１６】
また、畳床(Tb)の貫側と壁・畳寄せ・フロア等の畳床以外の構造物(S)との接続部(Jns)には、下部ジョイナ部材(11)が畳床(Tb)の貫側の端縁部の下面及び側面とそれぞれ当接した状態で床面上に載置され、一方、断面略Ｔ字型の上部ジョイナ部材(12)は上記下部ジョイナ部材(11)と係合された状態にある。このとき、下部ジョイナ部材(11)の下面当接側とＴ字型上部ジョイナ部材(12)とで、畳表(Ts)及び畳床(Tb)の両方重なった端縁部を挟持すると共に当該接続部(Jns)は上部ジョイナ部材(12)により被蔽され、外観的には上部ジョイナ部材(12)の上面に被着されている畳縁(13)により畳表(Ts)の端縁部が化粧されることとなる。
【００１７】
またさらに、畳床(Tb)の框側と壁・畳寄せ・フロア等の畳床以外の構造物(S)との接続部(Jks)では、框側端部材(2)の端部上部材(2b)を端部下部材(2a)から揺動させて畳表(Ts)の端部を端部上部材(2b)の上辺部(2b1)に巻込み、そのまま逆に揺動させて端部上部材(2b)を端部下部材(2a)に係合させれば、畳表(Ts)はピンと張った状態で端部上部材(2b)に巻き込まれて簡単に係止されることとなる。
【００１８】
本願『請求項２』にかかる発明によれば、畳表が、細長く裁断した紙に撚りをかけて得られた糸を用いて機織りして得られた上張材(Ts1)から構成されるので、葦草の長さに依存するような制限が無く、現場作業によって大面積の畳構成が得られることとなる。
【００１９】
【実施例】
以下、本発明を図示実施例に従って詳述するが、本発明はこれらに限定されるものではない。
実施例１
図１は本願『請求項１』にかかる床構造の一例(A)の平面概略図である。
同図における床構造(A)は、畳床(Tb)を８枚敷設していわゆる８畳間の広さに構成した例である。
本例では、２枚の畳床(Tb)を框側同士で接触して突き合わせたものを４列に配した構成となっている。従って、２つの畳床(Tb)の框同士が接触する部分には、特別の部材は用いられず、予めテープ材が貼られ動かないように固定されてい る。
【００２０】
同図の床構造(A)において、畳床(Tb)の貫側同士の接続部(Jnn)及び畳床(Tb)の貫側と壁やフロア等の構造物(S)との接続部(Jns)にはいずれも貫側ジョイナ(1)が用いられ、畳床(Tb)の框側と壁やフロア等の構造物(S)との接続部(Jks)には框側端部材(2)が用いられている。
【００２１】
上記貫側ジョイナ(1)は、その断面図を図３に示すが、断面略逆Ｔ字型の下部ジョイナ部材(11)と断面略Ｔ字型の上部ジョイナ部材(12)と、上部ジョイナ部材(12)の上面を被覆する畳縁(13)とから構成されている。
【００２２】
下部ジョイナ部材(11)は、畳床(Tb)の貫の２倍の長さ(2ｌ1)を有し、図２に示すように畳床(Tb)を敷設する床面(F)と接触する基部プレート部(11a)及び該基部プレート部(11a)上の幅中央部に長手方向に突設される壁部(11b)とから構成されている。
上記壁部(11b)はその高さ(h1)が、図２に示されるように、畳床(Tb)の厚さ(t1)及び後述する畳表(Ts)の厚さ(t2)との和と略同等に設定されており、その上面には後述する上部ジョイナ部材(12)と係合する係合溝(11b1)が設けられている。
【００２３】
上部ジョイナ部材(12)は、図３に示すように上部プレート部(12a)と突条部(12b)とを有するもので、上部プレート部(12a)は畳床(Tb)の貫の２倍の長さ(2ｌ1)とこの両端に配置される後述の框側端部材(3)の幅(△w3)の２倍を合わせたもの（すなわち、2ｌ1＋2△w3；図１参照）に設定され、突条部(12b)は畳床(Tb)の貫の２倍の長さ(2ｌ1)に設定されている。
すなわち、上部ジョイナ部材(12)の長さ方向の両端部では、突条部(12b)の端部から上部プレート部(12a)がはみ出していることになり、このはみ出している部分が後述する框側端部材(2)上をカバーすることとなる。
【００２４】
上部プレート部(12a)は図３に示すように上に凸となるように若干弯曲されている。またこの上面全体には畳縁(13)が貼着されている。
上記突条部(12b)は、下部ジョイナ部材(11)の嵌合溝(11b1)に嵌合するものであれば形状は特定しないが、図３のように断面逆三角形に形成された膨らみを有するものであれば、この部分が前記下部ジョイナ部材(11)の壁部(11b)の嵌合溝(11b1)に嵌合した場合抜け難く、確実に固定できる。
【００２５】
本例の床構造(A)において、畳床(Tb)の貫側と壁やフロア等の構造物(S)との接続部(Jns)にも貫側ジョイナ(1)が用いられているが、図４に示すように、補助部材(4)が下部ジョイナ部材(11)に一体的に接合されたものを用いれば強度的にも安定となる点で好ましい構成である。
【００２６】
本例の床構造(A)において、框側端部材(2)は、図５に示すように、断面略Ｌ型の端部下部材(2a)と、該端部下部材(2a)と揺動可能に連結されている端部上部材(2b)とから構成されている。
【００２７】
上記端部下部材(2a)は、畳床(Tb)の高さと略同等に設定されかつ畳床(Tb)の側端面に当接する垂直壁部(2a1)及び床面(F)に当接する底辺部(2a2)から構成されている。そして該底辺部(2a2)には後述する係合脚部との係合突起(2a3)が形成されている。
なお、本例の端部下部材(2a)は、框の長さ(ｌ2)に設定されているが、畳敷設幅に相当する長尺長さ、例えば畳床(Tb)の框の４倍の長さ(4ｌ2)と下部ジョイナ部材(11)の壁部(11b)の幅(△w1)の５倍の長さと、構造物(S)と下部ショイナ部材(11)との距離(△w2)の２倍の長さとの和に相当する長さ（すなわち、4ｌ2＋5△w1＋2△w2）に設定しても良い。
【００２８】
一方、上記端部上部材(2b)は上記端部下部材(2a)に被さる上辺部(2b1)及び該上辺部(2b1)を畳床(Tb)と略面一に支承しかつ上記底辺部(2a2)と係合する係合脚部(2b2)からなり、上記上辺部(2b1)が前記垂直壁部(2a1)の先端と軟質樹脂(2c)を介して揺動可能に連結されている。
本例の端部上部材(2b)は、畳床(Tb)の框と同等な長さ(ｌ2)に設定されているものが複数用いられている。
【００２９】
また、上記端部上部材(2b)は、係合脚部(2b2)より後端部が上記端部下部材(2a)の底辺部(2a2)から浮いていて空間部(イ)を構成しており、ここに畳表(Ts)の端縁部を巻き込むこととなる。
そして、巻き込んだ畳表を係止するための係止部(2b3)が、端部上部材(2b)の後端下部に形成されている。
【００３０】
なお、端部上部材(2b)の固定及び支承をより強固・確実にするために、図８に示すように係合脚部が複数設けられていもよい。
また、図９に示すように、係合突起(2a3)の形状を変えることができ、巻き込んだ畳表の引き抜き抵抗を高めるための係止突起(2a4)を設けても良い。
またさらに、両面テープ(2b4)を設けることで巻き込んだ畳表を確実に固定できる。
【００３１】
畳表(Ts)は、図２に示されるように、本例では細長く裁断した紙に撚りをかけて得られた糸を用いて機織りして得られた上張材(Ts1)とこれを支持するフェルト製裏打材(Ts2)から構成されている。なお、端部は予めホットメルト等で解れ止めされている。
【００３２】
この畳表(Ts)は、各列毎に用いられるもので、幅は畳床(Tb)の框とほぼ同等の長さ(ｌ2)に設定されており、長さは畳床(Tb)の貫の２倍の長さ(2ｌ1)と両端部を框側端部材(2)内に巻き込めるに十分な長さとの和に設定されている。
本例では、この大きさの畳表(Ts)が４枚用いられている。
【００３３】
以上の各部材により構成された本例の床構造(A)において、畳敷設予定の８畳間に設定されている床面(F)に対して、畳床(Tb)の框と平行となる両壁際（すなわち、接続部Jks）にそれぞれ框側端部材(2)を配設し、次いで畳床(Tb)の貫と平行になる両壁際（すなわち、接続部Jns）にそれぞれ補助部材(4)で補強された下部ジョイナ部材(11)を配置する。
【００３４】
次に、框側端部材間に、ほぼ框長さに相当する間隔で貫側ジョイナ(1)の下部ジョイナ部材(11)を配設する。
上記のようにして下部ジョイナ部材(11)により区画された４つの領域のそれぞれに、畳床(Tb)２枚を框側で突き合わせて敷設する。
【００３５】
次に、各列の上から畳表(Ts)を敷き、各列の畳表(Ts)の各端部をそれぞれ端部上部材(2b)にて係止するのであるが、図６に示すように端部上部材(2b)を端部下部材(2a)から軟質樹脂(2c)連結部のところで曲折して引き上げておき、この状態で畳表(Ts)の端縁部を端部上部材(2b)を被覆してこの後方下面側に巻込んだ後、端部上部材(2b)を端部下部材(2a)上に被せてその上から踏むことにより、図７に示すように端部上部材(2b)の係合脚部(2b2)と端部下部材(2a)の係合突起(2a3)とは係合し、そのとき畳表(Ts)は係止部(2b3)に係止され、これによりずれずにしっかりと空間部(イ)に巻き込まれることとなり、ピンと張った状態で敷設されることとなる。
【００３６】
次いで、両端の接続部(Jns)の各下部ジョイナ部材(11)に対して各上部ジョイナ部材(12)を係合させ、また３つの接続部(Jnn)に位置する下部ジョイナ部材(11)のそれぞれに各上部ジョイナ部材(12)を係合させる。
これによって、畳表(Ts)の貫側が、框幅毎に畳縁(13)が設けられた意匠が簡単に構成され８畳間の畳敷が完了する。
【００３７】
【発明の効果】
本願『請求項１』にかる発明によれば、畳床の貫側同士の接続部及び畳床と畳床以外の構造物との接続部には貫側ジョイナを、畳床の框側と畳床以外の構造物との接続部には框側端部材をそれぞれ用い、かつ、畳表と畳縁とを畳床とは別体で用いることにより、現場床面に畳と同様の意匠を簡単に施工できる。また、畳表はその端部を框側端部材の後方下面に巻き込んで簡単に係止することができ、かつ畳表をピンと張った状態で敷設できることとなる。また使用していて畳表の係止が緩んでも簡単に敷設し直すことができる。
【００３８】
本願『請求項２』にかかる発明によれば、畳表が、細長く裁断した紙に撚りをかけて得られた糸を用いて機織りして得られた上張材から構成されるので、葦草の長さに依存するような制限が無く、現場作業によって大面積の畳構成が得られる。
【図面の簡単な説明】
【図１】本発明にかかる床構造の一例の平面概略図
【図２】図１の床構造における貫側ジョイナの使用状態を説明する要部断面概略図
【図３】貫側ジョイナの一例の構成説明図
【図４】接続部(Jns)における貫側ジョイナの適用例を示す要部断面概略図
【図５】図１の床構造に用いられる框側端部材の一例の構成説明図
【図６】図５の框側端部材により畳表の端縁部を係止するときの状態を説明する要部断面概略図
【図７】図５の框側端部材により畳表の端縁部を係止したときの状態を説明する断面概略図
【図８】図５の框側端部材の他の例の断面概略図
【図９】図５の框側端部材のさらに他の例の断面概略図
【符号の説明】
(B)…床構造
(1)…貫側ジョイナ
(2)…框側端部材
(11)…下部ジョイナ部材
(11a)…基部プレート部
(11b)…壁部
(11b1)…係合溝
(12)…上部ジョイナ部材
(12a)…上部プレート部
(12b)…突条部
(13)…畳縁
(2a)…端部下部材
(2b)…端部上部材
(Tb)…畳床
(Ts)…畳表
(Ts1)…上張材
(Ts2)…裏張材
【図１】
0003784928.tif 000002
【図２】
0003784928.tif 000003
【図３】
0003784928.tif 000004
【図４】
0003784928.tif 000005
【図５】
0003784928.tif 000006
【図６】
0003784928.tif 000007
【図７】
0003784928.tif 000008
【図８】
0003784928.tif 000009
【図９】
0003784928.tif 000010